(57)【要約】      （修正有）【課題】比較的簡単な構成で、予め組上げておいて畳んで狭いスペースに収納保管ができ、必要なときにすぐ立体化して用いることができる仕切り紙箱の提供。【解決手段】平面に展開されたときは長方形の紙板であって、左の端部から相互間の折り目を介して順に、第１側板１１と、上板１２と、第２側板１３と、底板１４と、第３側板１５と、棚板１６と、糊代１７とが連結され、底板１４と棚板１６の下縁にそれぞれ同一形状の係合フラップ２０、２１が設けられ、折り目をすべて外側に折り込んで、立体的な箱形を形成するように起こしたとき、係合フラップ２０、２１同士が係合して、棚板１６で仕切られた２段の収納用空間が形成される。【選択図】図１
2009120258.tif 000002
【特許請求の範囲】
【請求項１】
平面に展開されたときは長方形の紙板であって、左の端部から相互間の折り目を介して順に、第１側板と、上板と、第２側板と、底板と、第３側板と、棚板と、糊代とが連結され、
前記底板と前記棚板の下縁にそれぞれ同一形状の係合フラップが設けられ、
前記折り目はすべて外側に折り込まれて、前記紙板を平面的な紙板状態から立体的な箱形を形成するために各前記側板を隣接する部分に対して垂直になるように起こしたとき、前記係合フラップ同士が係合して、中間を前記棚板で仕切られた２段の収納用空間が形成されることを特徴とする仕切り紙箱。
【請求項２】
前記糊代は前記第２側板の裏面に接着され、前記第１側板の裏面は第３側板の表面に接着されることを特徴とする請求項１に記載の仕切り紙箱。
【請求項３】
前記係合フラップは左右から寄せ合ったとき係合し合あって箱体は立体化され、前記係合フラップを逆方向に引き離したとき係合が外れ箱体が畳まれるように形成されていることを特徴とする請求項１または請求項２に記載の仕切り紙箱。
【発明の詳細な説明】
【技術分野】
【０００１】
本発明は、アンプルやバイアルなどの円筒状の製品を収納する組み立て折畳みの容易な仕切り紙箱に関する。
【背景技術】
【０００２】
従来アンプルやバイアルなどの円筒状の製品を収納するためには四角形の箱の収納部の内部を仕切板によって区切って収納していたが構造的に複雑であり、箱と仕切りとを別々に保管せねばならず、保管スペースが大きくなるという問題があった。
このような問題を解決するため、折りたたんだ状態で保管でき、仕切板を別体で形成する必要が無い紙箱の例が報告されている（特許文献１参照）。
しかしながら、この例は構造が複雑で組上げに時間がかかるという問題がある。
【特許文献１】特開平１１−３１０２２３号公報
【発明の開示】
【発明が解決しようとする課題】
【０００３】
以上に述べたように、従来のアンプルやバイアルなどの円筒状の小物製品を収納する紙箱では、保管スペースが大きくなるという問題や構成が複雑であって組上げに時間がかかるというような問題があった。
【０００４】
本発明は、この様な問題を解決して、比較的簡単な構成で、予め組上げておいて畳んで狭いスペースに収納保管ができ、必要なときにすぐ立体化して用いることができる仕切り紙箱の提供を課題とする。
【課題を解決するための手段】
【０００５】
上記課題を解決するため、本発明の仕切り紙箱は、平面に展開されたときは長方形の紙板であって、左の端部から相互間の折り目を介して順に、第１側板と、上板と、第２側板と、底板と、第３側板と、棚板と、糊代とが連結され、前記底板と前記棚板の下縁にそれぞれ同一形状の係合フラップが設けられ、前記折り目はすべて外側に折り込まれて、前記紙板を平面的な紙板状態から立体的な箱形を形成するために各前記側板を隣接する部分に対して垂直になるように起こしたとき、前記係合フラップ同士が係合して、中間を棚で仕切られた２段の収納用空間が形成されることを特徴とする。
【０００６】
ここで、前記糊代は前記第２側板の裏面に接着され、前記第１側板の裏面は第３側板の表面に接着されることを特徴とする。
【０００７】
前記係合フラップは左右から寄せ合ったとき係合し合あって箱体は立体化され、前記係合フラップを逆方向に引き離したとき係合が外れ箱体が畳まれるように形成されていることを特徴とする。
【発明の効果】
【０００８】
以上のように、本発明によると、予め糊付けして組上げたものを畳んで保管することができ、収納のスペースが小さくて済み、必要なときにすぐ立体化して用いることができる１枚の紙板から構成される２段の仕切り紙箱を提供することができる。
【発明を実施するための最良の形態】
【０００９】
以下、図面を参照して本発明に係る仕切り紙箱の実施形態を詳細に説明する。なお、以下の説明は発明をより深く理解するためのものであって、特許請求の範囲を限定するためのものではない。
【００１０】
図１は、本発明に係る仕切り紙箱の一実施形態の展開図である。
【００１１】
図１において、この実施形態の仕切り紙箱１００は、図の左端部から順に折り目を介して連結される第１側板１１、上板１２、第２側板１３、底板１４、第３側板１５、棚板１６および糊代１７から構成されている。
底板１４と棚板１６の下縁には、その下側にそれぞれ係合段差を有する同一形状の係合フラップ２０、２１が設けられている。
また、上板１２には第１の開口窓２２が、棚板１６には第１の開口窓２２よりも一回り開口面積の小さい第２の開口窓２３がそれぞれ設けられている。
【００１２】
ここで、第１側板１１と第２側板１３の幅は、組みあがったとき本発明に係る仕切り紙箱１００の高さに当たるので、ほぼ等しい。
また、上板１２、底板１４および棚板１６の幅は、組みあがったとき本発明に係る仕切り紙箱１００の幅に当たるので、ほぼ同程度の幅であるが、紙厚の分だけ、上板１２が底板１４よりも幅が広く、また底板１４が棚板１６よりも幅が広い。
【００１３】
この図１の展開図に示される紙板の折り目をすべて外折にして、各板面を隣接する板面に対して垂直に立て、糊代１７の表面を第２側板１３の裏面に接着し、第１側板１１の裏面を第３側板１５の表面に接着する。ここで表面とは、図１での紙面の表面に当たり、裏面とは、図１での紙面の裏面に当たる。さらに、係合フラップ２０、２１を箱体の内側に折り込んで、相互に係合させる。
【００１４】
このようにして、図１の展開図から立体的に組み上げられた本実施形態の仕切り紙箱１００の斜視図を図２に示す。
図２からわかるように、これによって１枚の紙板から中間の棚板１６によって仕切られた２段の収納空間を有する仕切り紙箱１００が組み立てられる。
【００１５】
このようにすると、図２に示すように、一旦組み立てられ立体化された仕切り紙箱１００は、係合フラップ２０、２１が相互に係合しあうため、立体化された状態で安定しており、立体化された箱状を保っている。
なお、上板１２には第１の開口窓２２が、棚板１６には第２の開口窓２３がそれぞれ設けられているので、収納空間に挿入された商品をこの仕切り紙箱１００の上から観察することができる。
【００１６】
このように組み立てられた仕切り紙箱１００を保管する場合には、仕切り紙箱１００を右側に押し倒すようにして、係合フラップ２０、２１の相互の係合を解除して、畳み込む。この畳み込んだ状態の斜視図を図３に示す。
このように畳み込むことによって、本発明の仕切り紙箱１００を糊付けした状態で、紙厚５枚分の薄さにすることができるので、収納時にほとんどスペースを取らず、畳み込んだ本発明の仕切り紙箱１００を何枚も重ねて収納することができる。
糊付けした状態で収納されているので、図３の収納状態から図２の組み立て状態にするのは容易であり、時間も手間もかからない。
【００１７】
ここで、係合フラップ２０、２１の係合と解除の方法について図４に沿って簡単に説明する。
仕切り紙箱１００を組み立てると、底板１４についている係合フラップ２０と棚板１６についている係合フラップ２１が組み合わさった状態になる。この状態で、棚板１６を底板１４に対して相対的に左に、底板１４を棚板１６に対して相対的に右に移動させると、係合フラップ２０の段差の立ち上がり点Ａが、係合フラップ２１の段差の立ち上がり点Ｂと一致して、それ以上の移動ができなくなる。この位置が、仕切り紙箱１００が組みあがった点になる。
【００１８】
仕切り紙箱１００を畳み込んで保管する場合には、棚板１６を底板１４に対して相対的に右に、底板１４を棚板１６に対して相対的に左に移動させると、係合フラップ２０、２１の係合が解除されて、仕切り紙箱１００が図３に示すような畳まれた状態になる。
したがって、棚板１６の底板１４に対する相対的な移動だけで、組み立てと畳み込みが簡単に実行できる。
【００１９】
以上、本発明の実施例について説明したが、本発明は上記実施例に限定されるものではなく、本発明の要旨の範囲内において、適宜変形実施が可能であることは言うまでもない。  例えば、寸法を変えて収納空間の大きさを上記の実施形態と異ならせても良い。
【産業上の利用可能性】
【００２０】
本発明は、以上に述べたように、簡単な構成で１枚の紙からアンプルやバイアルなどの円筒状の製品を収納する、組み立て、畳み込みが容易で保管の簡単な仕切紙箱を実現したので、医薬品などの収納紙箱として広く利用することができ、特に医薬品の業界分野で広く利用される可能性を有している。
【図面の簡単な説明】
【００２１】
【図１】本発明の仕切り紙箱の展開図である。
【図２】図１に示す本発明の仕切り紙箱の組立時の斜視図である。
【図３】図１に示す本発明の仕切り紙箱の折り畳み時の斜視図である。
【図４】係合フラップの係合と解除の方法についての説明図である。
【符号の説明】
【００２２】
１１  第１側板
１２  上板
１３  第２側板
１４  底板
１５  第３側板
１６  棚板
１７  糊代
２０、２１  係合フラップ
２２  第１の開口窓
２３  第２の開口窓
【図１】
2009120258.tif 000003
【図２】
2009120258.tif 000004
【図３】
2009120258.tif 000005
【図４】
2009120258.tif 000006